(57)【要約】【課題】  航空機を利用する顧客を対象に、機内での娯楽を提供するための航空機利用者用娯楽提供システム及び航空機利用者用娯楽提供方法を提供する。【解決手段】  航空機利用者用娯楽提供システム１００は、顧客の搭乗予約処理、クイズ作成処理、顧客情報の処理、当選者への商品関する処理等を行う地上予約サーバ１、飛行機の移動中に顧客のモニタにクイズを表示し回答させる処理、その回答が一定の正解率を超える顧客より当選者を選出する処理等を行う機内サーバ２等を備え、地上予約サーバ１は、搭乗予約手段１５ａ、クイズ参加者情報受付手段１５ｂ、クイズ作成手段１５ｃ、当選者識別情報受付手段１５ｄ、当選者ＵＲＬ作成管理手段１５ｅ、商品情報表示管理手段１５ｆ等を備え、機内サーバ２は、クイズ出題手段２５ａ、クイズ回答受信手段２５ｂ、当選者決定手段２５ｃ、当選者送信手段２５ｄ等を備える。【選択図】    図１
2009129345.tif 000002
【特許請求の範囲】
【請求項１】
搭乗する顧客が保持する顧客端末、前記顧客端末との間においてデータの送受信を行う地上予約サーバ、前記顧客が搭乗する機内に設置される機内サーバ、前記顧客が搭乗する機内に設置される機内モニタを備える航空機利用者用娯楽提供システムであって、
前記地上予約サーバは、
前記顧客が搭乗するフライトを特定するための情報および前記顧客の座席番号を含む個人情報から構成される搭乗予約情報を格納する搭乗予約記憶部と、
前記顧客にクイズとして出題するためのクイズ情報および前記クイズの回答情報を格納するクイズ記憶部と、
当選した前記顧客に提供する商品情報を格納する商品情報記憶部と、
前記顧客が前記顧客端末にて搭乗予約を行う際に、搭乗中にクイズ参加するか否かを選択させ、クイズに参加する顧客に対して前記フライト終了後に前記クイズに参加する顧客がクイズの当選結果をチェックするために閲覧する当選者発表画面へリンクするための当選者発表画面ＵＲＬを作成し、前記当選者発表画面ＵＲＬを前記クイズに参加する顧客の顧客端末に送信し、前記当選者発表画面ＵＲＬを前記搭乗予約情報に付加して前記搭乗予約記憶部に格納するクイズ参加者情報受付手段と、
前記機内サーバから送信される、前記クイズに参加する顧客であり且つ当選した当選者の当選者識別情報を取得する当選者識別情報受付手段と、
前記当選者識別情報受付手段が受信した前記当選者識別情報を基に前記搭乗予約記憶部より前記当選者の搭乗予約情報を検索し、検索された前記当選者の搭乗予約情報が有する当選者発表画面ＵＲＬを取得し、前記当選者を発表するための当選者発表画面を作成して取得された前記当選者発表画面ＵＲＬを設定し、搭乗後に前記顧客端末が前記当選者発表画面ＵＲＬにアクセスする際、本人認証を行い、本人と認証された場合に前記顧客端末の前記当選者発表画面ＵＲＬへのアクセスを許可する当選者ＵＲＬ作成管理手段と、
前記当選者ＵＲＬ作成管理手段が前記当選者発表画面ＵＲＬへのアクセスを許可した顧客端末に対し、前記商品情報記憶部に格納されている商品情報を提示する商品情報管理手段
とを備え、前記機内サーバは、
前記当選者識別情報を格納するための当選者識別情報記憶部と、
前記地上予約サーバの前記クイズ記憶部内より選択された一連のクイズおよび回答を格納する機内サーバクイズ記憶部と、
搭乗中にクイズ参加登録した顧客の機内モニタより受信する前記一連のクイズに対する顧客の回答を前記機内サーバクイズ記憶部に格納されるクイズの回答と比較し、この比較結果を基に当選者を選出し、選出された当選者を識別する当選者識別情報を前記当選者識別情報記憶部に格納する当選者決定手段と、
前記当選者識別情報記憶部に格納される前記当選者識別情報を前記地上予約サーバに送信する当選者送信手段
とを備え、
前記当選者識別情報は前記当選者の座席番号を含んでおり、前記当選者ＵＲＬ作成管理手段は前記搭乗予約記憶部に格納される搭乗予約情報が備える座席番号と、前記当選者識別情報が備える当選者の座席番号を比較し、一致する場合に本人として認証する
ことを特徴とする航空機利用者用娯楽提供システム。
【請求項２】
搭乗する顧客が保持する顧客端末、前記顧客端末との間においてデータの送受信を行う地上予約サーバ、前記顧客が搭乗する機内に設置される機内サーバ、前記顧客が搭乗する機内に設置される機内モニタを備えるシステムが提供する航空機利用者用娯楽提供方法であって、
前記地上予約サーバは、
クイズ参加者情報受付手段が、前記顧客が前記顧客端末にて搭乗予約を行う際に、搭乗中にクイズ参加するか否かを選択させ、クイズに参加する顧客に対してフライト終了後に前記クイズに参加する顧客がクイズの当選結果をチェックするために閲覧する当選者発表画面へリンクするための当選者発表画面ＵＲＬを作成し、前記当選者発表画面ＵＲＬを前記クイズに参加する顧客の顧客端末に送信し、前記顧客が搭乗するフライトを特定するための情報および前記顧客の座席番号を含む個人情報から構成される搭乗予約情報に前記当選者発表画面ＵＲＬを付加して前記搭乗予約記憶部に格納するステップと、
当選者識別情報受付手段が、前記機内サーバから送信される、前記クイズに参加する顧客であり且つ当選した当選者の当選者識別情報を取得するステップと、
当選者ＵＲＬ作成管理手段が、前記当選者識別情報受付手段にて受信された前記当選者識別情報を基に前記搭乗予約記憶部より前記当選者の搭乗予約情報を検索し、検索された前記当選者の搭乗予約情報が有する当選者発表画面ＵＲＬを取得し、前記当選者を発表するための当選者発表画面を作成して取得された前記当選者発表画面ＵＲＬを設定し、搭乗後に前記顧客端末が前記当選者発表画面ＵＲＬにアクセスする際、本人認証を行い、本人と認証された場合に前記顧客端末の前記当選者発表画面ＵＲＬへのアクセスを許可するステップと、
商品情報管理手段が、前記当選者ＵＲＬ作成管理手段にて前記当選者発表画面ＵＲＬへのアクセスが許可された顧客端末に対し、商品情報記憶部に格納されている当選者に提供する商品情報を提示するステップ
とを備え、前記機内サーバは、
当選者決定手段が、搭乗中にクイズ参加登録した顧客の機内モニタより受信するクイズに対する顧客の回答を、前記クイズおよび回答を格納する機内サーバクイズ記憶部内の回答と比較し、この比較結果を基に当選者を選出し、選出された当選者を識別する当選者識別情報を当選者識別情報記憶部に格納するステップと、
当選者送信手段が、前記当選者識別情報記憶部に格納される前記当選者識別情報を前記地上予約サーバに送信するステップ
とを備え、
前記当選者識別情報は前記当選者の座席番号を含んでおり、前記アクセスを許可するステップでは、前記当選者ＵＲＬ作成管理手段は前記搭乗予約記憶部に格納される搭乗予約情報が備える座席番号と、前記当選者識別情報が備える当選者の座席番号を比較し、一致する場合に本人として認証する
ことを特徴とする航空機利用者用娯楽提供方法。
【請求項３】
搭乗する顧客が保持する顧客端末、前記顧客端末との間においてデータの送受信を行う地上予約サーバ、前記顧客が搭乗する機内に設置される機内サーバ、前記顧客が搭乗する機内に設置される機内モニタおよび前記顧客が実際に搭乗する際にその搭乗を確認する搭乗改札装置を備える航空機利用者用娯楽提供システムであって、
前記地上予約サーバは、
前記顧客が搭乗するフライトを特定するための情報および前記顧客の座席番号を含む個人情報から構成される搭乗予約情報を格納する搭乗予約記憶部と、
前記顧客にクイズとして出題するためのクイズ情報および前記クイズの回答情報を格納するクイズ記憶部と、
当選した前記顧客に提供する商品情報を格納する商品情報記憶部と、
前記顧客が前記顧客端末にて搭乗予約を行う際に、搭乗中にクイズ参加するか否かを選択させ、クイズに参加する顧客より前記フライト終了後に前記クイズに参加する顧客にクイズの当選結果を知らせるためのメールアドレスを取得し、取得した前記メールアドレスを前記搭乗予約情報に付加して前記搭乗予約記憶部に格納するクイズ参加者情報受付手段と、
前記機内サーバから送信される、前記クイズに参加する顧客であり且つ当選した当選者の当選者識別情報を取得する当選者識別情報受付手段と、
前記当選者識別情報受付手段が受信した前記当選者識別情報を基に前記搭乗予約記憶部より前記当選者の搭乗予約情報を検索し、検索された前記当選者の搭乗予約情報が有するメールアドレスを取得し、前記当選者を発表するための当選者発表画面を作成して取得された前記メールアドレスに対して送信する当選者メール作成手段と、
前記当選者メール作成手段が作成した前記当選者発表画面にリンクされているＵＲＬを介してアクセスしてくる顧客端末に対し、前記搭乗予約記憶部に格納されている商品情報を提示する商品情報管理手段と、
前記搭乗改札機器より送信されてくる実際に搭乗した顧客の情報を取得し、取得した前記搭乗した顧客の情報を基に前記搭乗予約記憶部から前記搭乗した顧客の搭乗予約情報を検索し、検索した搭乗予約情報に搭乗フラグを付加し、搭乗予約記憶部に格納する搭乗フラグ判断手段と、
前記搭乗フラグが付加された搭乗予約情報が有する座席番号を機内サーバに送信する情報送信手段
とを備え、
前記機内モニタは前記搭乗中の顧客よりクイズを出題してほしい旨の要求があった際に前記機内サーバに対し出題要求を送信し、
前記機内サーバは、
前記当選者を識別する当選者識別情報を格納するための当選者識別情報記憶部と、
前記地上予約サーバの前記クイズ記憶部内より選択された一連のクイズおよび回答を格納する機内サーバクイズ記憶部と、
前記機内モニタより送信される前記出題要求を受信するモニタ要求受信手段と、
前記機内サーバクイズ記憶部より前記一連のクイズを取得し、前記機内モニタに送信するクイズ出題手段と、
搭乗中に前記機内モニタより受信する前記一連のクイズに対する顧客の回答を前記機内サーバクイズ記憶部に格納されるクイズの回答と比較し、この比較結果を基に当選者を選出し、選出された当選者を識別するための当選者識別情報を前記当選者識別情報記憶部に格納する当選者決定手段と、
前記当選者識別情報記憶部に格納される前記当選者識別情報を前記地上予約サーバに送信する当選者送信手段と、
前記地上予約サーバより送信される前記座席番号を取得し、取得した前記座席番号と前記モニタ要求受信手段が受信する出題要求を送信してきた顧客の座席番号が一致するか判断し、一致する場合に前記クイズ出題手段に対し、前記顧客の座席番号の機内モニタに対してクイズを送信するように指示するクイズ参加判断手段
とを備えることを特徴とする航空機利用者用娯楽提供システム。
【請求項４】
搭乗する顧客が保持する顧客端末、前記顧客端末との間においてデータの送受信を行う地上予約サーバ、前記顧客が搭乗する機内に設置される機内サーバ、前記顧客が搭乗する機内に設置される機内モニタおよび前記顧客が実際に搭乗する際にその搭乗を確認する搭乗改札装置を備えるシステムが提供する航空機利用者用娯楽提供方法であって、
クイズ参加者情報受付手段が、前記顧客が前記顧客端末にて搭乗予約を行う際に、搭乗中にクイズ参加するか否かを選択させ、クイズに参加する顧客よりフライト終了後に前記クイズに参加する顧客にクイズの当選結果を知らせるためのメールアドレスを取得し、前記顧客が搭乗するフライトを特定するための情報および前記顧客の座席番号を含む個人情報から構成される搭乗予約情報に取得した前記メールアドレスを付加して搭乗予約記憶部に格納するステップと、
当選者識別情報受付手段が、前記機内サーバから送信される、前記クイズに参加する顧客であり且つ当選した当選者の当選者識別情報を取得するステップと、
当選者メール作成手段が、前記当選者識別情報受付手段にて受信された前記当選者識別情報を基に前記搭乗予約記憶部より前記当選者の搭乗予約情報を検索し、検索された前記当選者の搭乗予約情報が有するメールアドレスを取得し、前記当選者を発表するための当選者発表画面を作成して取得された前記メールアドレスに対して送信するステップと、
商品情報管理手段が、前記当選者メール作成手段にて作成された前記当選者発表画面にリンクされているＵＲＬを介してアクセスしてくる顧客端末に対し、商品情報記憶部に格納されている当選者に提供する商品情報を提示するステップと、
搭乗フラグ判断手段が、前記搭乗改札機器より送信されてくる実際に搭乗した顧客の情報を取得し、取得した前記搭乗した顧客の情報を基に前記搭乗予約記憶部から前記搭乗した顧客の搭乗予約情報を検索し、検索した搭乗予約情報に搭乗フラグを付加し、前記搭乗予約記憶部に格納するステップと、
情報送信手段が前記搭乗フラグが付加された搭乗予約情報が有する座席番号を機内サーバに送信するステップ
とを備え、
前記機内モニタが搭乗中の前記顧客よりクイズを出題してほしい旨の要求があった際に前記機内サーバに対し出題要求を送信するステップと、
前記機内サーバは、
ステップモニタ要求受信手段が前記機内モニタより送信される前記出題要求を受信するステップと、
クイズ出題手段が、一連のクイズおよび回答を格納する機内サーバクイズ記憶部より前記一連のクイズを取得し、前記機内モニタに送信するステップと、
当選者決定手段が、搭乗中に前記機内モニタより受信する前記一連のクイズに対する顧客の回答を前記機内サーバクイズ記憶部に格納されるクイズの回答と比較し、この比較結果を基に当選者を選出し、選出された当選者の前記当選者識別情報を当選者識別情報記憶部に格納するステップと、
当選者送信手段が前記当選者識別情報記憶部に格納される前記当選者識別情報を前記地上予約サーバに送信するステップと、
クイズ参加判断手段が、前記地上予約サーバより送信される前記座席番号を取得し、取得した前記座席番号と前記モニタ要求受信手段が受信する出題要求を送信してきた顧客の座席番号情報が一致するか判断し、一致する場合に前記クイズ出題手段に対し、前記顧客の座席番号の機内モニタに対してクイズを送信するように指示するステップ
とを備えることを特徴とする航空機利用者用娯楽提供方法。
【請求項５】
搭乗する顧客が保持する顧客端末、前記顧客端末との間においてデータの送受信を行う地上予約サーバ、前記顧客が搭乗する機内に設置される機内サーバ、前記顧客が搭乗する機内に設置される機内モニタを備える航空機利用者用娯楽提供システムであって、
前記地上予約サーバは、
前記顧客が搭乗するフライトを特定するための情報および前記顧客の座席番号を含む個人情報から構成される搭乗予約情報を格納する搭乗予約記憶部と、
前記顧客にクイズとして出題するためのクイズ情報および前記クイズの回答情報を格納するクイズ記憶部と、
当選した前記顧客に提供する商品情報を格納する商品情報記憶部と、
前記顧客が前記顧客端末にて搭乗予約を行う際に、搭乗中にクイズ参加するか否かを選択させ、クイズに参加する顧客に対して前記フライト終了後に前記クイズに参加する顧客がクイズの当選結果をチェックするために閲覧する当選者発表画面へリンクするための当選者発表画面ＵＲＬを作成し、前記当選者発表画面ＵＲＬを前記クイズに参加する顧客の顧客端末に送信し、前記当選者発表画面ＵＲＬを前記搭乗予約情報に付加して前記搭乗予約記憶部に格納するクイズ参加者情報受付手段と、
前記機内サーバから送信される、前記クイズに参加する顧客を特定する情報および前記顧客のクイズの正解率，を含む正解率情報を取得する正解率情報受信手段と、
前記正解率情報受信手段が受信した前記正解率情報を基に当選者を決定する当選者決定手段と
前記搭乗予約記憶部より前記当選者決定手段が決定した前記当選者の搭乗予約情報を検索し、検索された前記当選者の搭乗予約情報が有する当選者発表画面ＵＲＬを取得し、前記当選者を発表するための当選者発表画面を作成して取得された前記当選者発表画面ＵＲＬを設定し、搭乗後に前記顧客端末が前記当選者発表画面ＵＲＬにアクセスする際、本人認証を行い、本人と認証された場合に前記顧客端末の前記当選者発表画面ＵＲＬへのアクセスを許可する当選者ＵＲＬ作成管理手段と、
前記当選者ＵＲＬ作成管理手段が前記当選者発表画面ＵＲＬへのアクセスを許可した顧客端末に対し、前記商品情報記憶部に格納されている商品情報を選択するコース若しくは前記当選者の権利を蓄積するコースを選択するよう提示する商品情報管理手段と、
前記顧客端末が前記当選者の権利を蓄積するコースを選択する場合、前記当選者の権利を蓄積するコースを選択した当選者の搭乗予約情報を検索し、検索された前記当選者の搭乗予約情報を基に顧客情報を作成し、前記顧客情報に前記当選者の権利を蓄積する値を付加し、顧客情報記憶部に格納する当選権格納手段
とを備え、前記機内サーバは、
前記正解率情報を格納するための正解率情報記憶部と、
前記地上予約サーバの前記クイズ記憶部内より選択された一連のクイズおよび回答を格納する機内サーバクイズ記憶部と、
搭乗中にクイズ参加登録した顧客の機内モニタより受信する前記一連のクイズに対する顧客の回答を前記機内サーバクイズ記憶部に格納されるクイズの回答と比較し、クイズ正解率を算出し、算出したクイズ正解率を含む前記正解率情報を前記正解率情報記憶部に格納するクイズ正解率算出手段と、
前記正解率情報記憶部に格納される前記正解率情報を前記地上予約サーバに送信するクイズ正解率送信手段
とを備え、
前記当選者識別情報は前記当選者の座席番号を含んでおり、前記当選者ＵＲＬ作成管理手段は前記搭乗予約記憶部に格納される搭乗予約情報が保持する座席番号と、前記当選者識別情報が備える当選者の座席番号を比較し、一致する場合に本人として認証する
ことを特徴とする航空機利用者用娯楽提供システム。
【請求項６】
搭乗する顧客が保持する顧客端末、前記顧客端末との間においてデータの送受信を行う地上予約サーバ、前記顧客が搭乗する機内に設置される機内サーバ、前記顧客が搭乗する機内に設置される機内モニタを備えるシステムが提供する航空機利用者用娯楽提供方法であって、
前記地上予約サーバは、
クイズ参加者情報受付手段が、前記顧客が前記顧客端末にて搭乗予約を行う際に、搭乗中にクイズ参加するか否かを選択させ、クイズに参加する顧客に対してフライト終了後に前記クイズに参加する顧客がクイズの当選結果をチェックするために閲覧する当選者発表画面へリンクするための当選者発表画面ＵＲＬを作成し、前記当選者発表画面ＵＲＬを前記クイズに参加する顧客の顧客端末に送信し、前記顧客が搭乗するフライトを特定するための情報および前記顧客の座席番号を含む個人情報から構成される搭乗予約情報に前記当選者発表画面ＵＲＬを付加して搭乗予約記憶部に格納するステップと、
正解率情報受信手段が、前記機内サーバから送信される前記クイズに参加する顧客を特定する情報および前記顧客のクイズの正解率，を含む正解率情報を取得するステップと、
当選者決定手段が、前記正解率情報受信手段により受信された前記正解率情報を基に当選者を決定するステップと
当選者ＵＲＬ作成管理手段が、前記搭乗予約記憶部より前記当選者決定手段が決定した前記当選者の搭乗予約情報を検索し、検索された前記当選者の搭乗予約情報が有する当選者発表画面ＵＲＬを取得し、前記当選者を発表するための当選者発表画面を作成して取得された前記当選者発表画面ＵＲＬを設定し、搭乗後に前記顧客端末が前記当選者発表画面ＵＲＬにアクセスする際、本人認証を行い、本人と認証された場合に前記顧客端末の前記当選者発表画面ＵＲＬへのアクセスを許可するステップと、
商品情報管理手段が、前記当選者ＵＲＬ作成管理手段によって前記当選者発表画面ＵＲＬへのアクセスを許可された顧客端末に対し、商品情報記憶部に格納されている当選者提供用の商品情報を選択するコース若しくは前記当選者の権利を蓄積するコースを選択するよう提示するステップと、
当選権格納手段が、前記顧客端末が前記当選者の権利を蓄積するコースを選択する場合、前記当選者の権利を蓄積するコースを選択した当選者の搭乗予約情報を検索し、検索された前記当選者の搭乗予約情報を基に顧客情報を作成し、前記顧客情報に前記当選者の権利を蓄積する値を付加し、顧客情報記憶部に格納するステップ
とを備え、前記機内サーバは、
ステップクイズ正解率算出手段が、搭乗中にクイズ参加登録した顧客の機内モニタより受信する前記クイズに対する顧客の回答を機内サーバクイズ記憶部に格納されるクイズの回答と比較し、クイズ正解率を算出し、算出したクイズ正解率を含む正解率情報を正解率情報記憶部に格納するステップと、
クイズ正解率送信手段が、前記正解率情報記憶部に格納される前記正解率情報を前記地上予約サーバに送信するステップ
とを備え、
前記当選者識別情報は前記当選者の座席番号を含んでおり、前記アクセスを許可するステップにおいて、前記当選者ＵＲＬ作成管理手段は前記搭乗予約記憶部に格納される搭乗予約情報が保持する座席番号と、前記当選者識別情報が備える当選者の座席番号を比較し、一致する場合に本人として認証する
ことを特徴とする航空機利用者用娯楽提供方法。
【発明の詳細な説明】
【技術分野】
【０００１】
本発明は、航空機を利用する顧客を対象に、機内での娯楽を提供するための航空機利用者用娯楽提供システム及び航空機利用者用娯楽提供方法に関する。
【背景技術】
【０００２】
現在、旅客移動体の乗客、例えば長時間の移動を行っている乗客に対して様々なサービスが提供されている。例として旅客機ではプロジェクタ又は座席に埋め込まれたモニタを用いて乗客に映画又はニュースを提供するコンテンツ提供サービスが行われている。列車では文字テロップによるニュース配信サービスが行われている。これらのサービスでは長時間の移動の際に乗客が飽きることがないように色々な画像・映像を提供している。これらのコンテンツ配信を含む複数のサービスの内よりユーザが所望するサービスをオンデマンドで選択し、受け取ることができるようにしたシステムも開発されている（特許文献１参照）。
【０００３】
又、現在周知の技法として、ホームページ上等で顧客に懸賞への参加を促し、顧客の氏名・住所等の個人情報を取得する手法がある。この懸賞応募手法においては、商品到着までに顧客の配送先・連絡先住所、顧客氏名等の個人情報をホームページ上で入力、送受信する。
【特許文献１】特開２００５−９２７３２号公報
【発明の開示】
【発明が解決しようとする課題】
【０００４】
しかしながら、特許文献１の手法では、乗車から目的地到着までの間に通信可能な環境、例えば列車内等のみを前提としてサービスを提供しており、航空機内等の通信不可能な環境での同サービス提供は不可能であった。又、移動中に、航空機を保有する会社等が提供したい情報を顧客が自ら積極的に取得するような娯楽的要素がなかった。
【０００５】
従来の懸賞応募手法においては、商品到着までに顧客の配送先・連絡先住所、顧客氏名等の個人情報を何度もホームページ上で入力、送受信する必要があり、第三者の目が個人情報に関する情報に触れる機会が多くなり、情報漏洩等の問題が発生することがあった。これを防ぐためにＩＤやパスワードを登録して個人情報を検索する手法も周知であるが、これもＩＤやパスワードを長時間使用しない場合、利用者がこれらの登録情報を失念してしまう問題があった。又、当選者へ商品が到着するには少なくとも数日かかり、又運送費用も発生していた。
【０００６】
本発明は、上記の問題点を解決する為になされたものであり、航空機に搭乗中の乗客でも参加することが可能であって、航空機を保有する会社等が提供したい情報を顧客が自ら積極的に取得するよう促すことができ、商品の配送時間・費用を低減させ、又顧客情報の送受信回数を減らして情報セキュリティを高めることができる航空機利用者用娯楽提供システム及び航空機利用者用娯楽提供方法を提供することを目的とする。
【課題を解決するための手段】
【０００７】
上記問題点を解決する為、本発明の第１の特徴は、（ａ）搭乗する顧客が保持する顧客端末、顧客端末との間においてデータの送受信を行う地上予約サーバ、顧客が搭乗する機内に設置される機内サーバ、顧客が搭乗する機内に設置される機内モニタを備える航空機利用者用娯楽提供システムであって、（ｂ）地上予約サーバ１は、顧客が搭乗するフライトを特定するための情報および顧客の座席番号を含む個人情報から構成される搭乗予約情報を格納する搭乗予約記憶部１６と、（ｃ）顧客にクイズとして出題するためのクイズ情報およびクイズの回答情報を格納するクイズ記憶部１７と、（ｄ）当選した顧客に提供する商品情報を格納する商品情報記憶部１８と、（ｅ）顧客が顧客端末にて搭乗予約を行う際に、搭乗中にクイズ参加するか否かを選択させ、クイズに参加する顧客に対してフライト終了後にクイズに参加する顧客がクイズの当選結果をチェックするために閲覧する当選者発表画面へリンクするための当選者発表画面ＵＲＬを作成し、当選者発表画面ＵＲＬをクイズに参加する顧客の顧客端末に送信し、当選者発表画面ＵＲＬを搭乗予約情報に付加して搭乗予約記憶部１６に格納するクイズ参加者情報受付手段１５ｂと、（ｆ）機内サーバ２から送信される、クイズに参加する顧客であり且つ当選した当選者の当選者識別情報を取得する当選者識別情報受付手段１５ｄと、（ｇ）当選者識別情報受付手段１５ｄが受信した当選者識別情報を基に搭乗予約記憶部１６より当選者の搭乗予約情報を検索し、検索された当選者の搭乗予約情報が有する当選者発表画面ＵＲＬを取得し、当選者を発表するための当選者発表画面を作成して取得された当選者発表画面ＵＲＬを設定し、搭乗後に顧客端末が当選者発表画面ＵＲＬにアクセスする際、本人認証を行い、本人と認証された場合に顧客端末の当選者発表画面ＵＲＬへのアクセスを許可する当選者ＵＲＬ作成管理手段１５ｅと、（ｈ）当選者ＵＲＬ作成管理手段が当選者発表画面ＵＲＬへのアクセスを許可した顧客端末に対し、商品情報記憶部１８に格納されている商品情報を提示する商品情報管理手段１５ｆとを備え、（ｉ）機内サーバ２は、当選者識別情報を格納するための当選者識別情報記憶部２６と、（ｊ）地上予約サーバ１のクイズ記憶部１７内より選択された一連のクイズおよび回答を格納する機内サーバ２クイズ記憶部１７ａと、（ｋ）搭乗中にクイズ参加登録した顧客の機内モニタより受信する一連のクイズに対する顧客の回答を機内サーバ２クイズ記憶部１７ａに格納されるクイズの回答と比較し、この比較結果を基に当選者を選出し、選出された当選者を識別する当選者識別情報を当選者識別情報記憶部２６に格納する当選者決定手段２５ｃと、（ｌ）当選者識別情報記憶部２６に格納される当選者識別情報を地上予約サーバ１に送信する当選者送信手段２５ｄとを備え、（ｍ）当選者識別情報は当選者の座席番号を含んでおり、当選者ＵＲＬ作成管理手段１５ｅは搭乗予約記憶部１６に格納される搭乗予約情報が備える座席番号と、当選者識別情報が備える当選者の座席番号を比較し、一致する場合に本人として認証する航空機利用者用娯楽提供システムであることを要旨とする。
【０００８】
本発明の第２の特徴は、（ａ）搭乗する顧客が保持する顧客端末、顧客端末との間においてデータの送受信を行う地上予約サーバ、顧客が搭乗する機内に設置される機内サーバ、顧客が搭乗する機内に設置される機内モニタおよび顧客が実際に搭乗する際にその搭乗を確認する搭乗改札装置を備える航空機利用者用娯楽提供システムであって、（ｂ）地上予約サーバ１ａは、顧客が搭乗するフライトを特定するための情報および顧客の座席番号を含む個人情報から構成される搭乗予約情報を格納する搭乗予約記憶部１６と、（ｃ）顧客にクイズとして出題するためのクイズ情報およびクイズの回答情報を格納するクイズ記憶部１７と、（ｄ）当選した顧客に提供する商品情報を格納する商品情報記憶部１８と、（ｅ）顧客が顧客端末にて搭乗予約を行う際に、搭乗中にクイズ参加するか否かを選択させ、クイズに参加する顧客よりフライト終了後にクイズに参加する顧客にクイズの当選結果を知らせるためのメールアドレスを取得し、取得したメールアドレスを搭乗予約情報に付加して搭乗予約記憶部１６に格納するクイズ参加者情報受付手段１５ｉと、（ｆ）機内サーバ２ａから送信される、クイズに参加する顧客であり且つ当選した当選者の当選者識別情報を取得する当選者識別情報受付手段１５ｄと、（ｇ）当選者識別情報受付手段１５ｄが受信した当選者識別情報を基に搭乗予約記憶部１６より当選者の搭乗予約情報を検索し、検索された当選者の搭乗予約情報が有するメールアドレスを取得し、当選者を発表するための当選者発表画面を作成して取得されたメールアドレスに対して送信する当選者メール作成手段１５ｎと、（ｈ）当選者メール作成手段１５ｎが作成した当選者発表画面にリンクされているＵＲＬを介してアクセスしてくる顧客端末に対し、搭乗予約記憶部１６に格納されている商品情報を提示する商品情報管理手段１５ｆと、(ｉ)搭乗改札機器５より送信されてくる実際に搭乗した顧客の情報を取得し、取得した搭乗した顧客の情報を基に搭乗予約記憶部１６から搭乗した顧客の搭乗予約情報を検索し、検索した搭乗予約情報に搭乗フラグを付加し、搭乗予約記憶部１６に格納する搭乗フラグ判断手段１５ｇと、（ｊ）搭乗フラグが付加された搭乗予約情報が有する座席番号を機内サーバ２ａに送信する情報送信手段１５ｈとを備え、（ｋ）機内モニタ６ａは搭乗中の顧客よりクイズを出題してほしい旨の要求があった際に機内サーバ２ａに対し出題要求を送信し、（ｌ）機内サーバ２ａは、当選者を識別する当選者識別情報を格納するための当選者識別情報記憶部２６と、（ｍ）地上予約サーバ１ａのクイズ記憶部１７内より選択された一連のクイズおよび回答を格納する機内サーバクイズ記憶部１７ａと、（ｎ）機内モニタより送信される出題要求を受信するモニタ要求受信手段２５ｅと、（ｏ）機内サーバクイズ記憶部１７ａより一連のクイズを取得し、機内モニタに送信するクイズ出題手段２５ａと、（ｐ）搭乗中に機内モニタより受信する一連のクイズに対する顧客の回答を機内サーバクイズ記憶部１７ａに格納されるクイズの回答と比較し、この比較結果を基に当選者を選出し、選出された当選者を識別するための当選者識別情報を当選者識別情報記憶部２６に格納する当選者決定手段２５ｃ���、（ｑ）  当選者識別情報記憶部２６に格納される当選者識別情報を地上予約サーバ１ａに送信する当選者送信手段２５ｄと、（ｒ）地上予約サーバ１ａより送信される座席番号を取得し、取得した座席番号とモニタ要求受信手段２５ｅが受信する出題要求を送信してきた顧客の座席番号が一致するか判断し、一致する場合にクイズ出題手段２５ａに対し、顧客の座席番号の機内モニタ６ａに対してクイズを送信するように指示するクイズ参加判断手段２５ｇとを備える航空機利用者用娯楽提供システムであることを要旨とする。
【０００９】
本発明の第３の特徴は、（ａ）搭乗する顧客が保持する顧客端末、顧客端末との間においてデータの送受信を行う地上予約サーバ、顧客が搭乗する機内に設置される機内サーバ、顧客が搭乗する機内に設置される機内モニタを備える航空機利用者用娯楽提供システムであって、（ｂ）地上予約サーバ１ｃは、顧客が搭乗するフライトを特定するための情報および顧客の座席番号を含む個人情報から構成される搭乗予約情報を格納する搭乗予約記憶部１６と、（ｃ）顧客にクイズとして出題するためのクイズ情報およびクイズの回答情報を格納するクイズ記憶部１７と、（ｄ）当選した顧客に提供する商品情報を格納する商品情報記憶部１８と、（ｅ）顧客が顧客端末にて搭乗予約を行う際に、搭乗中にクイズ参加するか否かを選択させ、クイズに参加する顧客に対してフライト終了後にクイズに参加する顧客がクイズの当選結果をチェックするために閲覧する当選者発表画面へリンクするための当選者発表画面ＵＲＬを作成し、当選者発表画面ＵＲＬをクイズに参加する顧客の顧客端末に送信し、当選者発表画面ＵＲＬを搭乗予約情報に付加して搭乗予約記憶部１６に格納するクイズ参加者情報受付手段１５ｂと、（ｆ）機内サーバ２ｃから送信される、クイズに参加する顧客を特定する情報および顧客のクイズの正解率，を含む正解率情報を取得する正解率情報受信手段１５ｌと、（ｇ）正解率情報受信手段１５ｌが受信した正解率情報を基に当選者を決定する当選者決定手段１５ｊと、（ｈ）搭乗予約記憶部１６より当選者決定手段１５ｊが決定した当選者の搭乗予約情報を検索し、検索された当選者の搭乗予約情報が有する当選者発表画面ＵＲＬを取得し、当選者を発表するための当選者発表画面を作成して取得された当選者発表画面ＵＲＬを設定し、搭乗後に顧客端末が当選者発表画面ＵＲＬにアクセスする際、本人認証を行い、本人と認証された場合に顧客端末の当選者発表画面ＵＲＬへのアクセスを許可する当選者ＵＲＬ作成管理手段１５ｅと、（ｉ）当選者ＵＲＬ作成管理手段が当選者発表画面ＵＲＬへのアクセスを許可した顧客端末に対し、商品情報記憶部１８に格納されている商品情報を選択するコース若しくは当選者の権利を蓄積するコースを選択するよう提示する商品情報管理手段１５ｆと、（ｊ）顧客端末が当選者の権利を蓄積するコースを選択する場合、当選者の権利を蓄積するコースを選択した当選者の搭乗予約情報を検索し、検索された当選者の搭乗予約情報を基に顧客情報を作成し、顧客情報に当選者の権利を蓄積する値を付加し、顧客情報記憶部１９に格納する当選権格納手段１５ｋとを備え、（ｋ）機内サーバ２ｃは、正解率情報を格納するための正解率情報記憶部２６ｂと、（ｌ）地上予約サーバ１ｃのクイズ記憶部１７内より選択された一連のクイズおよび回答を格納する機内サーバクイズ記憶部１７ａと、（ｍ）搭乗中にクイズ参加登録した顧客の機内モニタより受信する一連のクイズに対する顧客の回答を機内サーバクイズ記憶部１７ａに格納されるクイズの回答と比較し、クイズ正解率を算出し、算出したクイズ正解率を含む正解率情報を正解率情報記憶部２６ｂに格納するクイズ正解率算出手段２５ｉと、（ｎ）正解率情報記憶部２６ｂに格納される正解率情報を地上予約サーバ１ｃに送信するクイズ正解率送信手段２５ｈとを備え、（ｏ）当選者識別情報は当選者の座席番号を含んでおり、当選者ＵＲＬ作成管理手段１５ｅは搭乗予約記憶部１６に格納される搭乗予約情報が保持する座席番号と、当選者識別情報が備える当選者の座席番号を比較し、一致する場合に本人として認証する航空機利用者用娯楽提供システムであることを要旨とする。
【発明の効果】
【００１０】
本発明の航空機利用者用娯楽提供システム及び航空機利用者用娯楽提供方法によると、乗客が飛行機の移動中でも参加でき、航空会社等が提供したい情報を顧客が自ら積極的に取得するよう促すことができる。
【００１１】
また、当選者であることの確認を、顧客情報ではなく飛行機の座席番号を用いて行うため、顧客の個人情報入力は登録時の一回のみとすることができ、ひいては本サービス利用の際のインターネットにて送受信するデータのセキュリティを高めることができる。
【００１２】
当選者が自ら商品を受取りに行くことにより商品当選の当落発表・商品到着が数時間で済み、配送料金が不要で、発送先等の個人情報を開示する必要がなく、個人情報の漏洩防止の不安を低減することができる。
【００１３】
この他、クイズ出題のタイミングを顧客の意思によって決定するように設定し、参加登録している顧客が座席にいない場合、又は眠っていてクイズ出題に気づかない場合等であってもクイズに参加することができる。
【００１４】
更に、当選者は、希望することにより当選権を貯めることができ、次回当選した場合に貯めていた当選権と新たな当選権を加算して、ランクアップした商品等を選択することもできる。
【発明を実施するための最良の形態】
【００１５】
次に、図面を参照して、本発明の実施の形態を説明する。以下の図面の記載において、同一又は類似の部分には同一又は類似の符号を付している。ただし、図面は模式的なものであることに留意すべきである。
【００１６】
（第１の実施の形態）
（航空機利用者用娯楽提供システム）
本発明の第１の実施の形態に係る航空機利用者用娯楽提供システム１００は、図１に示すように、顧客が搭乗の予約等を行うために航空会社側へのアクセスに使用する顧客端末３ａ，３ｂ，３ｃと、顧客からの搭乗予約を受け付け、更に顧客が搭乗中に航空会社が提供するクイズ等の娯楽サービスに参加するか否かを登録する地上予約サーバ１と、飛行機の移動中に顧客に対してクイズ等の娯楽サービスを提供する機内サーバ２と、各顧客の前方座席に埋め込まれ、クイズ等を表示する顧客用の機内モニタ４ａ，４ｂ，４ｃと、クイズの当選者が所望の商品を取りに行く商品引渡所に設置される商品引渡所端末７等を備えている。
【００１７】
顧客端末３ａ〜３ｃは、携帯電話、携帯用パーソナルコンピュータ等の通信機器を指し、入力処理用のキーボード等、データを表示するための表示画面をそなえ、インターネット等の公衆通信回線上にて地上予約サーバ１と接続可能となっている。尚、搭乗予約の際には、顧客が携帯電話等でオペレータと会話し、オペレータが専用端末を介して、搭乗予約に必要な顧客情報を地上予約サーバ１に登録してもよい。
【００１８】
地上予約サーバ１は航空会社等に設置される大型サーバであり、主に顧客が搭乗予約する際の予約処理を行う。地上予約サーバ１は提供するフライトを一意に識別するための、搭乗日、搭乗便、出発地、出発時刻等の情報と、搭乗する顧客の氏名・住所等の情報を備える。本発明の実施の形態においては特定飛行機が特定日時に特定場所に向かって顧客を搭乗させ飛行する一サービスを「フライト」と定義する。尚、この他、後述する本発明の実施の形態における地上予約サーバ１は、航空会社が作成するクイズに関する情報、このクイズに参加する顧客の情報、クイズの正解者内の所定数人に贈呈するための商品に関する情報を更に備えている。
【００１９】
機内サーバ２は飛行機内に設置される小型のサーバであり、クイズに関する情報を備える。機内サーバ２は地上予約サーバ１と無線通信回線等のネットワークにて接続されている。機内サーバ２は飛行機の移動中に機内モニタ４ａ〜４ｃにクイズを表示させ、顧客からそのクイズの回答を回収する。又、一定の正解率を超える顧客の内より所定人数の当選者を選出し、選出された顧客の座席番号等を含む当選者識別情報を一時格納し、飛行機の着陸と同時に地上予約サーバに送信する。
【００２０】
機内モニタ４ａ〜４ｃは、各顧客の前方座席に埋め込まれている画像・映像表示装置であり、機内サーバ２から送信される画像データや映像データを表示する。又、機内モニタ４ａ〜４ｃはタッチパネル等の入力装置も備えており、顧客が表示画面の所定位置を触れると、当該部分の入力信号が機内サーバ２に送信され、顧客のクイズに対する回答を取得することができる。
【００２１】
商品引渡所端末７はクイズの当選者が所望の商品を取りに行く商品引渡所に設置される端末である。商品引渡所端末７は当選者が所望する商品のデータを読み取るためのスキャナ等を備えている
地上予約サーバ１は、飛行機の着陸後に機内サーバ２より当選者識別情報を受信し、当選者の情報及び当選者が受け取る商品情報をＵＲＬ又はメール等にてクイズに参加した顧客に知らせる。更に地上予約サーバ１は、顧客端末３ａ〜３ｃより顧客の所望する商品の情報を取得する。取得した商品情報は、顧客が着陸した空港内インフォメーションカウンタ等の商品引渡所端末７に送信され、商品引渡担当者はこの商品情報を基に当選した顧客が商品引渡所に来るまでの間に商品を準備しておく。又、地上予約サーバ１は、顧客端末３ａ〜３ｂに所望する商品を示すデータ、例えば２次元バーコード等のデータを送信する。
【００２２】
商品引渡所にやって来た顧客が、顧客端末３ａ〜３ｂの画面上にこの２次元バーコード等を提示すると、商品引渡担当者がこれを商品引渡所端末７に接続されるスキャナ等で読み取り、正しい商品情報であれば所望する商品を顧客に渡す。
【００２３】
以下、本システムの各装置について詳細に説明する。
【００２４】
（地上予約サーバ）
地上予約サーバ１は、図２に示すように、入力装置１１、出力装置１２、通信制御装置１３、主記憶装置１４、処理制御装置（以下、「ＣＰＵ」と記載する）１５、搭乗予約記憶部１６、クイズ記憶部１７及び商品情報記憶部１８等を備えている。
【００２５】
搭乗予約記憶部１６は、搭乗予約の際に必要となる搭乗予約情報を格納する。搭乗予約情報は図４のように構成され、搭乗するフライトを特定するためのデータとして、例えば搭乗日、搭乗便、出発地、到着地、出発時刻、到着時刻、運賃等（図４（ａ）参照）を備える。又、フライトに搭乗する顧客の情報として、例えば予約番号、座席番号、氏名、年齢、性別、住所、メールアドレス、電話番号、予約日、当選者発表画面ＵＲＬ等（図４（ｂ）参照）を備える。フライトを特定するための情報と顧客の情報は本実施の形態では予約番号で一意にするようにする。
【００２６】
クイズ記憶部１７は、図５（ｂ）に示すように、航空会社側にて作成された、顧客に回答させたい情報をクイズにしたデータ、及びその回答を格納する。例えば、「○○航空会社は今年で何周年か？以下の４択から選べ」「○○航空会社のサービスの特色はなにか？以下の４択から選べ」等のクイズと、その回答「Ａ．１５年」「Ｂ．機内食の質の高さ」等が対になって格納されている。これらのクイズは複数種類作成されて良く、航空会社に関する情報は勿論のこと、航空会社が提携する他社等の情報、各便の到着地に関する情報や季節の行事に関する情報等を基に作成されてもよい。各便で出題される一連のクイズは、その種類毎に識別可能なように、図５に示すようにクイズファイルＩＤ番号を付与する。例えば、「８月初旬」に「青森」に到着する便の情報（図５（ａ）参照。詳細は後述する）には、航空会社の情報に加え、ねぶた祭りの情報を織り込んだクイズを提供するようなクイズファイルＩＤ番号を選択し、付与するようにする。
【００２７】
商品情報記憶部１８は、当選した顧客に提供する商品情報を格納する。商品情報は複数存在してよく、その数が多い場合は、各々の商品情報が適切なカテゴリに分類され、ユーザに選択させやすいように表示されることが好ましい。例えば、食品カテゴリ、金券カテゴリ、衣料品カテゴリ等に分類する。
【００２８】
ＣＰＵ１５は、搭乗予約手段１５ａ、クイズ参加者情報受付手段１５ｂ、クイズ作成手段１５ｃ、当選者識別情報受付手段１５ｄ、当選者ＵＲＬ作成管理手段１５ｅ、商品情報表示管理手段１５ｆ等を備える。
【００２９】
搭乗予約手段１５ａは、顧客に対し、顧客情報を含む搭乗予約処理に必要な搭乗予約情報を顧客端末３ａ〜３ｃに入力させるよう促し、顧客端末３ａ〜３ｃよりこの搭乗予約情報（図４参照）を受信し、搭乗予約記憶部１６へ格納する。
【００３０】
クイズ参加者情報受付手段１５ｂは、搭乗予約処理の際に、搭乗中にクイズに参加するか否かを顧客に選択させ、その選択結果を受信し、クイズに参加する顧客を特定する情報を搭乗予約情報に付加し、搭乗予約記憶部１６に格納する。本発明の実施の形態ではクイズに参加する顧客を特定する情報として、当選者発表画面ＵＲＬを使用する（詳細は後述する）。この他にも、特定の便に搭乗しクイズに参加する顧客を特定する情報として、顧客のメールアドレスを使用したり、クイズに参加する顧客の座席番号を使用したり、クイズに参加する顧客の搭乗予約情報に参加フラグを立てたりしてもよい。又、クイズ参加者情報受付手段１５ｂは、クイズに参加する顧客の顧客端末３ａ〜３ｂに対し、搭乗後に顧客がクイズの当選結果をチェックするために閲覧する当選者発表画面へリンクするための当選者発表画面ＵＲＬを作成する。尚、この当選者発表画面ＵＲＬは各顧客の１回の搭乗毎に個別に作成される。つまり１０人の顧客が各１０回搭乗した場合には合計１００の当選者発表画面ＵＲＬが作成されることになる。具体的には、ＵＲＬに顧客を識別できる情報、例えば図４の予約番号が顧客に対して一意に与えられている場合は、この予約番号「１１１１」を、当選者発表画面ＵＲＬに埋め込み、「http://www.ABCD.co.jp/asw/index.jsp/resev1111」のように作成する。当選者発表画面ＵＲＬは予約確認情報と共に顧客端末３ａ〜３ｃに送信される。又当選者発表画面ＵＲＬは図４の搭乗予約情報の一部として搭乗予約記憶部１６に格納される。
【００３１】
クイズ作成手段１５ｃは、搭乗中に機内モニタ４ａ〜４ｃに提示する為の顧客向けクイズ及びその回答のデータを作成し、クイズ記憶部１７に図５（ｂ）に示すように格納する。
【００３２】
当選者識別情報受付手段１５ｄは、機内サーバ２から送信される当選者識別情報を取得する。当選者識別情報は、各フライトの当選者を一意にできるものであればよく、例えば「搭乗日」「搭乗便」「出発地」「出発時刻」「座席番号」等を当選者識別情報として受信する。
【００３３】
当選者ＵＲＬ作成管理手段１５ｅは、当選者識別情報受付手段１５ｄが受信した当選者識別情報を基に、当選者を発表するための当選者発表画面を当選者毎に作成する。作成された当選者発表画面は、当選者の当選者発表画面ＵＲＬのページ上に提示するようにする。例えば、図４の山田太郎さんが当選者である場合、山田太郎さんの当選発表ページ（図８（ｂ）参照）が、山田太郎さんの当選者発表画面ＵＲＬ「http://www.ABCD.co.jp/asw/index.jsp/resev1111」上にて閲覧できるようにする。更に当選者ＵＲＬ作成管理手段１５ｅは当選者が当選者発表画面ページにアクセスする際、本人確認のためにパスワードの入力を促す。本発明の実施の形態ではセキュリティ面を考慮して、パスワードには顧客の個人情報ではなく、顧客の座席に付与されている座席番号を入力させるようにする。アクセスしてきた当選者発表画面ＵＲＬと入力された座席番号が、登録されている図４の搭乗予約情報と一致すれば、アクセスしてきた者と搭乗予約をした者は同一であり、真の当選者であるとみなされ、当選者発表画面ページに進むことができるようにする。
【００３４】
商品情報管理手段１５ｆは、当選者の顧客端末３ａ〜３ｃに対し、プレゼント可能な商品の情報を提示する。この商品情報を提示するＵＲＬページは当選者発表のＵＲＬページとリンクされていることが望ましく、当選者は顧客端末３ａ〜３ｃを操作することで、当選者発表画面ページから商品情報提示ページに進み、所望の商品を選択する。更に商品情報管理手段１５ｆは、顧客に選択された商品を示す情報を商品引渡所端末７と顧客端末３ａ〜３ｃに送信する。尚、本発明の実施の形態では顧客端末３ａ〜３ｃには商品を示す情報の一例として二次元バーコード等を顧客端末３ａ〜３ｃに送信する。
【００３５】
入力装置１１は、キーボード、マウス等から入力信号を受信するインタフェースである。表示装置１２は、処理結果等を出力するための装置であり、具体的には液晶ディスプレイ、ＣＲＴディスプレイ、プリンタ等を指す。フロッピー（登録商標）ディスク、ハードディスク等の外部記憶装置を介して入力されても良い。通信制御装置１３は、機内サーバ２、顧客端末３ａ〜３ｂ等の他装置に対しデータを送受信する為の制御信号を生成する。主記憶装置１４は、主メモリとして、処理の手順を記述したプログラムや処理されるべきデータを一時的に記憶し、ＣＰＵ１５の要請に従ってプログラムの機械命令やデータを引き渡す。また、ＣＰＵ１５で処理されたデータは主記憶装置１４に書き込まれる。主記憶装置１４とＣＰＵ１５はアドレスバス、データバス、制御信号等で結ばれている。
【００３６】
（機内サーバ）
機内サーバ２は、図３に示すように、入力装置２１、出力装置２２、通信制御装置２３、主記憶装置２４、ＣＰＵ２５、当選者識別情報記憶部２６及びクイズ記憶部１７ａ等を備えている。
【００３７】
当選者識別情報記憶部２６は、搭乗中に機内モニタ４ａ〜４ｃを介して出題したクイズに対し一定の正解率を持ち且つ当選者として選ばれた顧客を識別するための当選者識別情報を格納する。当選者識別情報は図５（ａ）に示すように、搭乗したフライトを特定する情報として「搭乗日」「搭乗便」「出発地」「出発時刻」を備え、出題したクイズを特定する情報として「クイズファイルＩＤ」を備え、当選した顧客を特定する情報として当選した顧客の「座席番号」を備える。顧客を特定する情報として顧客の氏名・電話番号等の顧客情報に含まれるようなものであってもよいが、本発明の実施の形態においてはセキュリティ面を考慮して、識別情報として座席番号を使用することとする。
【００３８】
クイズ記憶部１７ａは、地上予約サーバ１が保有するクイズ記憶部１７内より選択された、該当便に適した一連のクイズ（図５（ｂ）参照）格納する。格納されている一連のクイズはクイズファイルＩＤで識別可能である。
【００３９】
ＣＰＵ２５は図３に示すように、クイズ出題手段２５ａ、クイズ回答受信手段２５ｂ、当選者決定手段２５ｃ及び当選者送信手段２５ｄ等を備えている。
【００４０】
クイズ出題手段２５ａは、飛行機離陸後に、クイズ記憶部１７ａよりクイズを取得し、取得したクイズを各顧客の機内モニタ４ａ〜４ｃに提示させる。
【００４１】
クイズ回答受信手段２５ｂは、提示されたクイズに対する顧客の回答を、機内モニタ４ａ〜４ｃの画面上のタッチパネル等を介して受信する。
【００４２】
当選者決定手段２５ｃは、クイズ回答受信手段２５ｂが受信した各顧客のクイズに対する回答を、クイズ記憶部１７ａに格納されるクイズの回答と照らし合わせ、正解率を算出する。一定の正解率をもつ顧客の内より、予め設定される人数分ランダムに当選者を選出し、その当選者の座席番号を出力する。
【００４３】
当選者送信手段２５ｄは、当選者決定手段２５ｃが決定した当選者の座席番号と、搭乗便を特定する情報を合わせた当選者識別情報（図５（ａ）参照）を作成し、着陸後直ちに地上予約サーバ１に送信する。
【００４４】
その他の装置については地上予約サーバ１（図２）と同様であるため説明を省略する。
【００４５】
（航空機利用者用娯楽提供システムの動作）
以下、航空機利用者用娯楽提供システム１００の各装置の動作について図６のフローチャートを参照して説明する。
【００４６】
（ａ）まず、ステップＳ１０において、顧客端末３ａ〜３ｃは、航空会社のホームページ等に掲載されている搭乗便予約処理のページにアクセスし、図７に示すような予約画面を取得する。顧客は顧客端末３ａ〜３ｃのキーボードを介し予約画面上に予約に必要な情報を入力する。このとき図７の下部に示すように、出題されるクイズの参加を募集するような文章を予約画面上に提示し、参加する顧客には顧客のメールアドレスを入力するように促す。全ての入力が終わると、顧客は顧客端末３ａ〜３ｃに表示される予約画面上の「予約するボタン」を顧客端末３ａ〜３ｃのキーボードを押下等して予約情報を地上予約サーバ１に送信する。
【００４７】
（ｂ）ステップＳ１１においては、地上予約サーバ１は予約情報を受信し、搭乗予約手段１５ａが図４に示すような搭乗予約情報を作成する。又、図７の予約画面に、クイズに参加する意図で顧客のメールアドレスが入力されていた場合、クイズ参加者情報受付手段１５ｂが顧客のメールアドレスを搭乗予約情報に付加する。更にクイズ参加者情報受付手段１５ｂは、搭乗後に顧客がクイズの当選結果をチェックするために閲覧する当選者発表画面へリンクするための当選者発表画面ＵＲＬを各顧客の１回の搭乗毎に個別に作成する。例えば図４の予約番号が顧客に対して一意に与えられている場合は、この予約番号「１１１１」を、ＵＲＬ内に埋め込んだものを当選者発表画面ＵＲＬとして作成する。
【００４８】
ステップＳ１２において、クイズ参加者情報受付手段１５ｂは、顧客のメールアドレス（顧客端末３ａ〜３ｃ）に対して、予約確定の情報および当選者発表画面ＵＲＬを送信する。又、クイズ参加者情報受付手段１５ｂは当選者発表画面ＵＲＬを図４の搭乗予約情報に書き込み搭乗予約記憶部１６に格納する。ステップＳ１３において、クイズに参加する顧客の顧客端末３ａ〜３ｃは予約確定情報及び当選者発表画面ＵＲＬの情報を受信し、表示画面等に表示する。
【００４９】
（ｃ）実際に顧客が飛行機に搭乗するまでの間に、クイズを出題する準備として、地上予約サーバ１は機内サーバ２に対し、クイズ記憶部１７に格納されている各便に適した一連のクイズ（図５（ｂ）参照）と、各便を識別するための情報及び後に決定される当選者の情報を格納するための領域を備えた当選者識別情報（図５（ａ）参照）を送信する。機内サーバ２はクイズを図３のクイズ記憶部１７ａに、当選者識別情報を図３の当選者識別情報記憶部２６に格納しておく。
【００５０】
（ｄ）顧客が飛行機に搭乗して離陸した後に、ステップＳ１４において、クイズ出題手段２５ａがクイズ記憶部１７ａよりクイズデータを取得し、図１の機内モニタ４ａ〜４ｃに表示させる。ステップＳ１５において、提示されたクイズに対する顧客の回答は、機内モニタ４ａ〜４ｃの画面上タッチパネル等の操作を介してクイズ回答受信手段２５ｂに送信される。このステップＳ１４とＳ１５は出題されるクイズの数だけ繰り返される。全てのクイズに対する回答が終了すると、クイズ回答受信手段２５ｂは各顧客の回答データを当選者決定手段２５ｃに送信する。
【００５１】
（ｅ）ステップＳ１６において、当選者決定手段２５ｃは、各顧客のクイズに対する回答をクイズ記憶部１７ａに格納されるクイズの回答と照らし合わせ、正解率を算出する。当選者決定手段２５ｃは、一定の正解率をもつ顧客の内より、予め設定される人数分ランダムに当選者を選出し、その座席番号を出力する。この他にも、顧客の正解率を高い順（降順）に並べ、上位の所定人数を選出したり、クイズに回答した顧客全員を当選者として選出しても良い。
【００５２】
（ｆ）ステップＳ１７において、当選者送信手段２５ｄが、当選者の座席番号を当選者識別情報内の座席番号領域に格納し、当選者識別情報（図５（ａ）参照）を作成する。当選者送信手段２５ｄは、作成された当選者識別情報を着陸後直ちに地上予約サーバ１に送信する。
【００５３】
（ｇ）ステップＳ１８において、地上予約サーバ１が当選者識別情報を受信すると、この当選者識別情報は当選者識別情報受付手段１５ｄに送信される。当選者識別情報受付手段１５ｄは、当選者識別情報内の当選者が搭乗した便の情報及び当選者の座席番号を基に、搭乗予約記憶部１６に格納されている当選者の搭乗予約情報（図４参照）を抽出し、当選者の氏名、当選者発表画面ＵＲＬ等の顧客情報を取得する。ステップＳ１９において当選者ＵＲＬ作成管理手段１５ｅが、当選者の顧客情報を基に、図８（ｂ）に示すような当選者発表画面ページを作成し、インターネット上にて顧客端末３ａからこの当選者発表画面ページにアクセス可能なように当選者発表画面ＵＲＬを設定する（ステップＳ２０）。
【００５４】
（ｈ）ステップＳ２１において、飛行機の着陸後、空港のロビー等より当選者である顧客が顧客端末３ａを介してステップＳ１３にて取得していた当選者発表画面ＵＲＬにアクセスする。すると当選者ＵＲＬ作成管理手段１５ｅは図８（ａ）に示すような入力画面を表示させ、顧客の座席番号を入力するように促す。図８（ａ）の入力画面上に顧客の座席番号が入力・送信されると、当選者ＵＲＬ作成管理手段１５ｅはこれを取得し、この座席番号とアクセスしてきた当選者発表画面ＵＲＬが、登録されている図４の搭乗予約情報の座席番号および当選者発表画面ＵＲＬと一致するか判断する。一致すれば、アクセスしてきた者と搭乗予約をした者は同一であり、真の当選者であると認定し、当選者発表画面ページの閲覧を許可する。尚、座席番号が搭乗予約情報とは異なる場合、「座席番号が違います。再入力してください。」等記載した画面を表示させ再入力を促す。顧客はステップＳ２１にて図８（ｂ）の当選者発表画面に表示された情報より当落結果を判断し、当選していた場合、図８（ｂ）の当選者発表画面下部にある「次へ」欄を顧客端末３ａのキーボードを押下等してリンクされている商品選択画面へ進む。
【００５５】
（ｉ）ステップＳ２２においては、商品情報表示管理手段１５ｆが図８（ｃ）に示すような商品選択画面を顧客端末３ａに送信し、顧客端末３ａがこれを表示装置上に表示する。当選した顧客が商品を選択すると、顧客端末３ａは選択された商品の情報を商品情報表示管理手段１５ｆに送信する。ステップＳ２４において商品情報表示管理手段１５ｆは選択された商品を識別可能な情報、例えば二次元バーコードのデータを顧客端末３ａに送信する。更に、商品情報表示管理手段１５ｆは選択された商品を識別する情報を、空港内に設置される商品引渡所等で使用する商品引渡所端末７に送信する。商品引渡所の担当者は商品引渡所端末７上で選択された商品を識別する情報を確認し、顧客の到着前に選択された商品を準備しておく。
【００５６】
（ｊ）ステップＳ２５において顧客端末３ａは受信した二次元バーコードのデータを図８（ｄ）に示すように表示画面上に表示し、商品引渡所で商品引渡担当者に提示する。商品引渡担当者はこれを商品引渡所端末７が備えるスキャナ等で読み取り、正しい商品情報であれば所望する商品を顧客に渡す。
【００５７】
本発明の第１の実施の形態に係る航空機利用者用娯楽提供システムによると、乗客が飛行機の移動中でもクイズに参加できるので、航空会社等が提供したい情報を顧客が自ら積極的に取得するよう促すことができる。当選者であることの確認を、顧客情報ではなく飛行機の座席番号を用いて行うため、顧客の個人情報入力は登録時の一回のみとすることができ、ひいては本サービス利用の際に送受信するデータのセキュリティを高めることができる。更に、当選者が自ら商品を受取りに行くことにより商品当選の当落発表・商品到着が数時間で済み、配送料金が不要で、発送先等の個人情報を開示する必要がなく、個人情報の漏洩防止の不安を低減することができる。
【００５８】
（第２の実施の形態）
第１の実施の形態による航空機利用者用娯楽提供システムでは、全てのクイズ出題は一斉にブロードキャスト送信されるため、参加登録している顧客が座席にいない場合、又は眠っていてクイズ出題に気づかない場合等には対応することができない。よって本発明の第２の実施の形態では、顧客がクイズに参加するタイミングを自由に選べるシステムについて説明する。
【００５９】
（航空機利用者用娯楽提供システム）
本発明の第２の実施の形態に係る航空機利用者用娯楽提供システム２００は、図９に示すように、顧客が搭乗の予約等を行うために航空会社側へのアクセスに使用する顧客端末３ａ，３ｂ，３ｃと、顧客からの搭乗予約を受け付け、更に顧客が搭乗中に航空会社が提供するクイズ等の娯楽サービスに参加するか否かを登録する地上予約サーバ１ａと、飛行機の移動中に顧客に対してクイズ等の娯楽サービスを提供する機内サーバ２ａと、各顧客の前方座席に埋め込まれ、クイズ等を表示する顧客用の機内モニタ６ａ，６ｂ，６ｃと、搭乗予約した顧客が実際に飛行機に搭乗する際に使用する搭乗改札機器５と、クイズの当選者が所望の商品を取りに行く商品引渡所に設置される商品引渡所端末７等を備えている。
【００６０】
搭乗改札機器５は、顧客が飛行機に搭乗する際に紙チケット、データチケット等を読み取り、搭乗予約した客が実際に搭乗したことを確認する。搭乗改札機器５は、搭乗した顧客を特定する情報、例えば予約番号等を地上予約サーバ１ａに送信する。
【００６１】
地上予約サーバ１ａは、実際に搭乗した顧客の予約番号等からその顧客が搭乗時に使用する座席番号を取得し、機内サーバ２ａに送信する。機内サーバ２ａは地上予約サーバ１ａより座席番号を取得し、クイズ出題の際には取得した座席番号の機内モニタ６ａ〜６ｃのみを作動させるように制御する。
【００６２】
機内モニタ６ａ〜６ｃは、搭乗予約時にクイズ参加登録を行っている搭乗客より、クイズに参加したいとの指示を受けると機内サーバ２ａよりクイズを取得し、モニタ上に提示するようにする。
【００６３】
その他の装置については第１の実施の形態と同様であるため説明を省略する。
【００６４】
以下、本システムの各装置について詳細に説明する。
【００６５】
（地上予約サーバ）
地上予約サーバ１ａは、図１０に示すように、入力装置１１、出力装置１２、通信制御装置１３、主記憶装置１４、ＣＰＵ３５、搭乗予約記憶部１６、クイズ記憶部１７及び商品情報記憶部１８等を備えている。
【００６６】
ＣＰＵ３５は、搭乗予約手段１５ａ、クイズ参加者情報受付手段１５ｉ、クイズ作成手段１５ｃ、当選者識別情報受付手段１５ｄ、当選者メール作成手段１５ｎ、商品情報表示管理手段１５ｆ、搭乗フラグ判断手段１５ｇ、搭乗情報送信手段１５ｈ等を備える。
【００６７】
クイズ参加者情報受付手段１５ｉは、搭乗予約処理の際に、図７の予約画面を提示し、搭乗中にクイズに参加するか否かを顧客に選択させ、参加する場合、クイズに参加する顧客を特定する情報を搭乗予約情報に付加し、搭乗予約記憶部１６に格納する。本発明の実施の形態ではクイズに参加する顧客を特定する情報として、図７の予約画面で入力された顧客のメールアドレスを使用する。クイズ参加者情報受付手段１５ｉはクイズ参加確認情報および予約確認情報を顧客のメールアドレス（顧客端末３ａ〜３ｃ）に送信する。顧客のメールアドレスは図４の搭乗予約情報の一部として搭乗予約記憶部１６に格納される。
【００６８】
クイズ作成手段１５ｃは、搭乗中に機内モニタ４ａ〜４ｃに提示する為の顧客向けクイズ及びその回答のデータを作成し、クイズ記憶部１７に図５（ｂ）に示すように格納する。
【００６９】
当選者メール作成手段１５ｎは、当選者識別情報受付手段１５ｄが受信した当選者識別情報を基に、当選者に送信するための当選者発表メールを当選者毎に作成する。作成された当選者発表メールは、搭乗予約記憶部１６に格納されている顧客のメールアドレス宛に送信される。尚、当選者発表メールには商品情報を提示するＵＲＬが付加されており、当選者は顧客端末３ａ〜３ｃのキーボード等を操作し、商品情報を表示するＵＲＬにアクセスする。
【００７０】
搭乗フラグ判断手段１５ｇは、搭乗改札機器５より送信されてくる実際に搭乗した顧客の予約番号を取得し、取得した予約番号を基に、搭乗予約記憶部１６から該当する搭乗予約情報を検索する。搭乗フラグ判断手段１５ｇは、検索した搭乗予約情報に、顧客が実際に搭乗したことを証明する搭乗フラグを図１３（ｂ）のように付与する。搭乗フラグが入力された搭乗予約情報は再度搭乗予約記憶部１６に格納される。
【００７１】
搭乗情報送信手段１５ｈは、搭乗フラグが付与された顧客を特定する情報、例えば座席番号等を機内サーバ２ａに送信する。
【００７２】
その他の手段については第１の実施の形態と同様であるため説明を省略する。
【００７３】
（機内サーバ）
機内サーバ２ａは、図１１に示すように、入力装置２１、出力装置２２、通信制御装置２３、主記憶装置２４、ＣＰＵ４５、当選者識別情報記憶部２６及びクイズ記憶部１７ａ等を備えている。
【００７４】
ＣＰＵ４５は図１１に示すように、クイズ出題手段２５ａ、クイズ回答受信手段２５ｂ、当選者決定手段２５ｃ、当選者送信手段２５ｄ、モニタ要求受信手段２５ｅ、搭乗情報受信手段２５ｆおよびクイズ参加判断手段２５ｇ等を備えている。
【００７５】
モニタ要求受信手段２５ｅは機内モニタ６ａ〜６ｃから顧客のクイズ出題要求を受信する。本発明の第２の実施の形態における機内モニタ６ａ〜６ｃはＣＰＵを備えるコンピュータ装置であり、各々の機内モニタ６ａ〜６ｃは自律して顧客からの命令を受信し、実行する。よって、モニタ要求受信手段２５ｅは機内モニタ６ａ〜６ｃから出題要求のあった順に要求を受け付け、クイズ参加判断手段２５ｇに送信する。
【００７６】
搭乗情報受信手段２５ｆは、地上予約サーバ１ａから送信された搭乗フラグが付与された顧客を特定する情報、つまりクイズに事前に参加登録し且つ実際に顧客が搭乗している座席の座席番号等を受信し、主記憶装置２４に記憶させる。この座席番号は当選者識別情報記憶部２６ａに一時記憶させてもよい。
【００７７】
クイズ参加判断手段２５ｇは、主記憶装置２４等より座席番号を取得し、この座席番号以外の座席からクイズ参加要求があってもこれを受け付けないようにする。つまりクイズ参加判断手段２５ｇは、モニタ要求受信手段２５ｅが出題要求を受け付けると、その要求がクイズに事前に参加登録し且つ実際に顧客が搭乗している座席の座席番号であるかを、主記憶装置２４上の座席番号と出題要求を出している座席の座席番号と比較することにより判断する。二つの座席番号が一致している場合、クイズ参加判断手段２５ｇはクイズ出題手段２５ａに対し、当該座席番号の機内モニタ６ａに対してクイズを送信するように指示する。二つの座席番号が一致しない場合、クイズ参加判断手段２５ｇはクイズの参加を拒否し、この座席番号の機内モニタ６ｂに対して「申し訳ありませんが、参加には事前登録が必要となっております」等の文章を表示するように指示する。
【００７８】
その他の手段については第１の実施の形態と同様であるため説明を省略する。
【００７９】
（機内モニタ）
機内モニタ６ａ〜６ｃは図１２に示すように、入力装置５１、出力装置５２、通信制御装置５３、主記憶装置５４およびＣＰＵ５５等を備えている。
【００８０】
ＣＰＵ５５は、ユーザ要求受信手段５５ａ、ユーザ要求送信手段５５ｂ、クイズ表示手段５５ｃ、クイズ回答受信手段５５ｄおよびクイズ回答送信手段５５ｅ等を備えている。
【００８１】
ユーザ要求受信手段５５ａは、タッチパネル等の入力装置５１を介して、顧客がクイズに参加したいとの要求を受信する。クイズ参加要求はユーザ要求送信手段５５ｂに送信される。ユーザ要求送信手段５５ｂは、クイズ参加要求を、座席内部に設置されるケーブル等を介して、機内サーバ２ａに送信する。
【００８２】
クイズ表示手段５５ｃは、機内サーバ２ａより受信するクイズをモニタ等の出力装置５２上に表示する。クイズ回答受信手段５５ｄは、タッチパネル等の入力装置５１を介して、顧客のクイズに対する回答を受信する。クイズ回答送信手段５５ｅは、顧客のクイズに対する回答を機内サーバ２ａに送信する。
【００８３】
（航空機利用者用娯楽提供システムの動作）
以下、航空機利用者用娯楽提供システム２００の各装置の動作について図１４のフローチャートを参照して説明する。
【００８４】
（ａ）まず、ステップＳ１０１においては、ステップＳ１０と同様に、顧客端末３ａ〜３ｃが、航空会社のホームページ等に掲載されている搭乗便予約処理のページにアクセスし、図７に示すような予約画面を取得し、搭乗予約に必要な情報を入力する。このとき図７の下部に示すように、出題されるクイズの参加を募集するような文章を予約画面上に提示し、参加する顧客には顧客のメールアドレスを入力するように促す。全ての入力が終わると、搭乗予約情報は顧客端末３ａ〜３ｃから地上予約サーバ１へ送信される。
【００８５】
（ｂ）ステップＳ１０２においては、地上予約サーバ１ａは図７の予約画面に入力された予約情報を受信し、搭乗予約手段１５ａが図４に示すような搭乗予約情報を作成する。又、図７の予約画面に、クイズに参加する意図で顧客のメールアドレスが入力されていた場合、クイズ参加者情報受付手段１５ｉが顧客のメールアドレスを搭乗予約情報に付加する。ステップＳ１０３において、クイズ参加者情報受付手段１５ｉはクイズに参加する顧客の顧客端末３ａ〜３ｃ（図７の予約画面に入力してきた宛先メールアドレス）に対して予約確定の情報を送信する。ステップＳ１０４において、クイズに参加する顧客の顧客端末３ａ〜３ｃ（宛先メールアドレス）は予約確定情報を受信し、表示画面等に表示する。
【００８６】
（ｃ）実際に顧客が飛行機に搭乗するまでの間に、クイズを出題する準備として、地上予約サーバ１ａは機内サーバ２ａに対し、クイズ記憶部１７に格納されている各便に適した一連のクイズ（図５（ｂ）参照）と、各便を識別するための情報及び後に決定される当選者の情報を格納するため領域を備えた当選者識別情報（図１３（ａ）参照）を送信する。機内サーバ２ａはクイズを図１１のクイズ記憶部１７ａに、当選者識別情報を図１１の当選者識別情報記憶部２６ａに格納しておく。ステップＳ１０５において、顧客が飛行機に搭乗し始めると、搭乗改札機器５は、顧客の紙チケット、データチケット等を読み取り、搭乗した顧客を特定する情報、例えば予約番号等を地上予約サーバ１ａに送信する。
【００８７】
ステップＳ１０６において予約番号を受信した地上予約サーバ１ａは、この予約番号を搭乗フラグ判断手段１５ｇに送信する。搭乗フラグ判断手段１５ｇは、送信してきた予約番号を基に、搭乗予約記憶部１６から該当する搭乗予約情報を抽出し、抽出された搭乗予約情報に、顧客が実際に搭乗したことを証明する搭乗フラグを図１３（ｂ）のように付与する。搭乗フラグが入力された搭乗予約情報は再度搭乗予約記憶部１６に格納される。ステップＳ１０７において、搭乗情報送信手段１５ｈは、搭乗フラグが付与された顧客を特定する情報、例えば座席番号等を機内サーバ２ａに送信する。ステップＳ１０８において機内サーバ２ａの搭乗情報受信手段２５ｆがこの座席番号を取得し、主記憶装置２４又は当選者識別情報記憶部２６ａに一時記憶させる。
【００８８】
（ｄ）ステップＳ１０９において、顧客が飛行機に搭乗して離陸した後に、クイズに参加登録している顧客は、各自が好きな時間に機内モニタ６ａ〜６ｃのタッチパネル等の入力装置５１より、「これからクイズに参加するので、クイズを出題して欲しい」旨の要求を出す。図１２の機内パネルのユーザ要求受信手段５５ａは、このクイズの出題要求を受信し、ユーザ要求送信手段５５ｂに送信する。ユーザ要求送信手段５５ｂは、出題要求を、座席内部に設置されるケーブル等を介して、機内サーバ２ａに送信する。ステップＳ１１０において機内サーバ２ａのモニタ要求受信手段２５ｅはこの出題要求を受信する。
【００８９】
（ｅ）モニタ要求受信手段２５ｅはクイズの出題要求を受け付けると、この顧客に対してクイズを出題すべきか、つまりのその要求がクイズに事前に参加登録している顧客からの要求か否かを判断をさせるためクイズ参加判断手段２５ｇに送信する。ステップＳ１１１において、クイズ参加判断手段２５ｇは、主記憶装置２４等に一時記憶されている座席番号を取得し、取得した座席番号と出題要求を出している座席の座席番号と比較する。二つの座席番号が一致している場合、クイズ参加判断手段２５ｇはクイズ出題手段２５ａに対し当該座席番号の機内モニタ６ａに対してクイズを送信するように指示する。二つの座席番号が一致しない場合、クイズ参加判断手段２５ｇはクイズの参加を拒否し、この座席番号の機内モニタ６ｂに対してクイズ参加拒否の旨を表示するように指示する。
【００９０】
尚、ステップＳ１１２〜Ｓ１１６までのクイズ出題及び回答、当選者の決定の処理は、図６のステップＳ１４〜Ｓ１７までの処理と同様であるため説明を省略する。
【００９１】
（ｆ）ステップＳ１１７において、地上予約サーバ１ａが当選者識別情報を受信する。ステップＳ１１８において、受信された当選者識別情報は当選者識別情報受付手段１５ｄに送信される。当選者識別情報受付手段１５ｄは、当選者識別情報内の当選者が搭乗した便の情報及び当選者の座席番号を基に、搭乗予約記憶部１６に格納されている当選者の搭乗予約情報（図１３参照）を抽出し、当選者の氏名、宛先メールアドレス等の顧客情報を取得する。当選者メール作成手段１５ｎは、当選者の顧客情報を基に、図８（ｂ）に示すような当選者発表画面を作成し、登録されている宛先メールアドレス（顧客端末３ａ〜３ｃ）に送信する。更に、当選者メール作成手段１５ｎは、当選しなかった旨のメールを作成し、当選しなかった顧客のメールアドレスに対して送信する。
【００９２】
（ｇ）ステップＳ１１９において、当選していた顧客は図８（ｂ）の当選者発表画面下部にある「次へ」欄を顧客端末３ａのキーボードを押下等する。この「次へ」欄は地上予約サーバ１ａの商品情報表示ページとリンクされており、顧客端末３ａ〜３ｃは地上予約サーバ１ａに商品情報表示ページの表示要求を送信する。地上予約サーバ１ａの商品情報表示管理手段１５ｆは、この商品情報の表示要求を受信すると、商品選択画面を提示する。
【００９３】
これ以降、ステップＳ１２０〜Ｓ１２２に関しては、図６のステップＳ２２〜Ｓ２５と同様であるため説明を省略する。
【００９４】
本発明の第２の実施の形態に係る航空機利用者用娯楽提供システムでは、  クイズ出題のタイミングが顧客の意思によって決定されるため、参加登録している顧客が座席にいない場合、又は眠っていてクイズ出題に気づかない場合等であってもクイズに参加することができる。
【００９５】
（第３の実施の形態）
本発明の第１の実施の形態及び第２の実施の形態においては、当選者決定の処理を機内サーバ側で行っていたが、この処理は地上予約サーバ側で行うこともできる。
【００９６】
当選者への商品は季節毎等の一定期間毎に更新することが望ましいことは勿論だが、この場合、例えば春に搭乗して当選した顧客が、春向け商品に気に入ったものがない場合、この当選権を貯めておき、夏に搭乗し又当選した際に、貯めていた当選権と新たな当選権を加算して、ランクアップした商品を選択することができる、又は夏向け商品から２点選択することができるようにしてもよい。
【００９７】
本発明の第３の実施の形態においては、上記したことを実現させるための航空機利用者用娯楽提供システム３００について説明する。
【００９８】
（航空機利用者用娯楽提供システム）
本発明の第３の実施の形態に係る航空機利用者用娯楽提供システム３００は、図１５に示すように、顧客端末３ａ，３ｂ，３ｃと、顧客からの搭乗予約を受け付け、更に顧客が搭乗中に航空会社が提供するクイズ等の娯楽サービスに参加するか否かを登録する地上予約サーバ１ｃと、飛行機の移動中に顧客に対してクイズ等の娯楽サービスを提供する機内サーバ２ｃと、各顧客の前方座席に埋め込まれ、クイズ等を表示する顧客用の機内モニタ４ａ，４ｂ，４ｃと、クイズの当選者が所望の商品を取りに行く商品引渡所に設置される商品引渡所端末７等を備えている。
【００９９】
以下、本システムの各装置について詳細に説明する。
【０１００】
（地上予約サーバ）
地上予約サーバ１ｃは、図１６に示すように、入力装置１１、出力装置１２、通信制御装置１３、主記憶装置１４、ＣＰＵ６５、搭乗予約記憶部１６、クイズ記憶部１７、商品情報記憶部１８及び顧客情報記憶部１９等を備えている。
【０１０１】
顧客情報記憶部１９は、搭乗予約の際に必要となる図４の搭乗予約情報を基に作成される各顧客の個人情報である顧客情報を格納する。顧客情報は図１８に示すように、「顧客ＩＤ」、氏名、年齢、性別、住所、メールアドレス、電話番号、予約日、「当選権」等の項目を備えている。顧客ＩＤは数桁の数字よりなる顧客を一意に特定するための値であり、例えば顧客情報の発生順にシーケンスに付与した数字等である。
【０１０２】
ＣＰＵ６５は図１６に示すように、搭乗予約手段１５ａ、クイズ参加者情報受付手段１５ｂ、クイズ作成手段１５ｃ、正解率情報受信手段１５ｌ、当選者ＵＲＬ作成管理手段１５ｅ、商品情報表示管理手段１５ｆ、当選者決定手段１５ｊ及び当選者格納手段１５ｋ等を備える。
【０１０３】
正解率情報受信手段１５ｌは、機内サーバ２ｃより、クイズに参加した顧客のクイズ正解率を受信する。当選者決定手段１５ｊは、正解率受信手段１５ｌが受信したクイズ正解率の内より、一定以上の正解率である顧客を選択し、選択された顧客の内より所定数当選者を決定する。決定の際に、過去の当選実績の少ない顧客を優先的に選択することも可能である。当選者格納手段１５ｋは、当選者決定手段１５ｊが決定した当選者の内、当選権を貯めたいと希望する当選者がいた場合、この当選者の顧客情報に、貯める当選権の値を付加し、顧客情報記憶部１９に格納する。その他の装置、手段については図２と同様であるため説明を省略する。
【０１０４】
（機内サーバ）
機内サーバ２ｃは、図１７に示すように、入力装置２１、出力装置２２、通信制御装置２３、主記憶装置２４、ＣＰＵ７５、正解率情報記憶部２６ｂ及びクイズ記憶部１７ａ等を備えている。
【０１０５】
正解率情報記憶部２６ｂは、搭乗中に機内モニタ４ａ〜４ｃを介して出題したクイズに対する、各顧客のクイズ正解率を記憶する。各顧客を特定するため、正解率は顧客の座席番号と紐付けられて格納される。
【０１０６】
ＣＰＵ７５は図１７に示すように、クイズ出題手段２５ａ、クイズ回答受信手段２５ｂ、クイズ正解率算出手段２５ｉ及びクイズ正解率送信手段２５ｈ等を備えている。クイズ正解率算出手段２５ｉは、顧客のクイズの回答を受信し、その正解率を算出する。算出された正解率は各顧客の座席番号と共に正解率情報記憶部２６ｂに格納される。クイズ正解率送信手段２５ｈは、正解率情報記憶部２６ｂに格納されている各顧客の座席番号及び正解率を、飛行機の着陸後、地上予約サーバ１ｃに送信する。その他の装置、手段については図２と同様であるため説明を省略する。
【０１０７】
（航空機利用者用娯楽提供システムの動作）
以下、航空機利用者用娯楽提供システム３００の各装置の動作について図１９のフローチャートを参照して説明する。
【０１０８】
（ａ）ステップＳ３０〜Ｓ３３の顧客端末３ａ〜３ｃと地上予約サーバ１ｃ間における予約処理は、図６のステップＳ１０〜Ｓ１３と同様であり、ステップＳ３４〜３５の搭乗中の機内サーバ１ｃによるクイズ出題処理は図６のステップＳ３４〜３５と同様であるため説明を省略する。
【０１０９】
（ｂ）ステップＳ３６において、クイズ正解率算出手段２５ｉは、各顧客のクイズに対する回答をクイズ記憶部１７ａに格納されるクイズの回答と照らし合わせ、正解率を算出し、各顧客の座席番号とその正解率を含む正解率情報に、便を特定するための情報、例えば搭乗日、搭乗便、出発地、出発時刻等を付加し、正解率情報記憶部２６ｂに格納する。ステップＳ３７において、飛行機の着陸後、クイズ正解率送信手段２５ｈは、便を特定するための情報及び正解率情報を地上予約サーバ１ｃに送信する。
【０１１０】
（ｃ）ステップＳ３８において、地上予約サーバ１ｃの正解率情報受信手段１５ｌはフライトを特定するための情報及び正解率情報を受信すると、これらの情報は当選者決定手段１５ｊに送信される。ステップＳ３９において、当選者決定手段１５ｊは、フライトを特定するための情報及び正解率情報に含まれる座席番号を基に、搭乗予約記憶部１６に格納されている当選者の搭乗予約情報（図４参照）を抽出し、当選者の氏名、当選者発表画面ＵＲＬ等の顧客情報を取得する。
【０１１１】
ステップＳ４０〜Ｓ４２の当選者発表画面作成の処理は、図６のステップＳ１９〜Ｓ２１の処理と同様であるため説明を省略する。
【０１１２】
（ｄ）ステップＳ４３において、商品情報表示管理手段１５ｆが図２０に示すような商品選択画面を顧客端末３ａに送信し、顧客端末３ａがこれを表示装置上に表示する。顧客が顧客端末３ａを操作して当選権を貯めるＤコースを選択すると、商品情報表示管理手段１５ｆはこれを受信し（ステップＳ４５）、当選権格納手段１５ｋに送信する。ステップＳ４６において、当選権格納手段１５ｋは、この当選者の搭乗予約情報より顧客情報（図１８参照）を作成し、当選権の値を、例えば１点加算し、顧客情報記憶部１９に格納する。この他、ステップＳ４７〜４８の商品選択の処理に関しては図６のステップＳ２４〜２５と同様であるため説明を省略する。
【０１１３】
本発明の第３の実施の形態に係る航空機利用者用娯楽提供システムによると、当選者は、希望することにより当選権を貯めることができ、次回当選した場合に貯めていた当選権と新たな当選権を加算して、ランクアップした商品等を選択することができる。
【図面の簡単な説明】
【０１１４】
【図１】本発明の第１の実施の形態に係る航空機利用者用娯楽提供システムの構造を示すシステム図。
【図２】地上予約サーバの内部構造を示す構造図。
【図３】機内サーバの内部構造を示す構造図。
【図４】搭乗予約情報のデータ構造を示す図。
【図５】当選者識別情報およびクイズ情報のデータ構造を示す図。
【図６】航空機利用者用娯楽提供システムの動作を示すフロー図。
【図７】予約画面の一例を示す画面図。
【図８】商品選択画面の一例を示す画面図。
【図９】本発明の第２の実施の形態に係る航空機利用者用娯楽提供システムの構造を示すシステム図。
【図１０】地上予約サーバの内部構造を示す構造図。
【図１１】機内サーバの内部構造を示す構造図。
【図１２】機内モニタの内部構造を示す構造図。
【図１３】搭乗予約情報のデータ構造を示す図。
【図１４】航空機利用者用娯楽提供システムの動作を示すフロー図。
【図１５】本発明の第３の実施の形態に係る航空機利用者用娯楽提供システムの構造を示すシステム図。
【図１６】地上予約サーバの内部構造を示す構造図。
【図１７】機内サーバの内部構造を示す構造図。
【図１８】顧客情報のデータ構造を示す図。
【図１９】航空機利用者用娯楽提供システムの動作を示すフロー図。
【図２０】商品選択画面の一例を示す画面図。
【符号の説明】
【０１１５】
１ａ，１ｂ，１ｃ…地上予約サーバ
２ａ，２ｂ，２ｃ…機内サーバ
３ａ，３ｂ，３ｃ…顧客端末
４ａ，４ｂ，４ｃ，６ａ，６ｂ，６ｃ…機内モニタ
５…搭乗改札機器
７…商品引渡所端末
１１，２１，５１…入力装置
１２，２２，５２…出力装置
１３，２３，５３…通信制御装置
１４，２４，５４…主記憶装置
１５，３５，６５…ＣＰＵ
１５ａ…搭乗予約手段
１５ｂ…クイズ参加者情報受付手段
１５ｃ…クイズ作成手段
１５ｄ…当選者識別情報受付手段
１５ｅ…当選者ＵＲＬ作成管理手段
１５ｆ…商品情報表示管理手段
１５ｇ…搭乗フラグ判断手段
１５ｈ…搭乗情報送信手段
１５ｉ…クイズ参加者情報受付手段
１５ｎ…当選者メール作成手段
１５ｋ…当選者格納手段
１５ｌ…正解率情報受信手段
１５ｊ…当選者決定手段
１６…搭乗予約記憶部
１７，１７ａ…クイズ記憶部
１８…商品情報記憶部
１９…顧客情報記憶部
２５，４５，７５…ＣＰＵ
２５ａ…クイズ出題手段
２５ｂ…クイズ回答受信手段
２５ｃ…当選者決定手段
２５ｄ…当選者送信手段
２５ｅ…モニタ要求受信手段
２５ｆ…搭乗情報受信手段
２５ｇ…クイズ参加判断手段
２５ｈ…クイズ正解率送信手段
２５ｉ…クイズ正解率算出手段
２６，２６ａ…当選者識別情報記憶部
２６ｂ…正解率情報記憶部
５５…ＣＰＵ
５５ａ…ユーザ要求受信手段
５５ｂ…ユーザ要求送信手段
５５ｃ…クイズ表示手段
５５ｄ…クイズ回答受信手段
５５ｅ…クイズ回答送信手段
１００，２００，３００…航空機利用者用娯楽提供システム
【図１】
2009129345.tif 000003
【図２】
2009129345.tif 000004
【図３】
2009129345.tif 000005
【図４】
2009129345.tif 000006
【図５】
2009129345.tif 000007
【図６】
2009129345.tif 000008
【図７】
2009129345.tif 000009
【図８】
2009129345.tif 000010
【図９】
2009129345.tif 000011
【図１０】
2009129345.tif 000012
【図１１】
2009129345.tif 000013
【図１２】
2009129345.tif 000014
【図１３】
2009129345.tif 000015
【図１４】
2009129345.tif 000016
【図１５】
2009129345.tif 000017
【図１６】
2009129345.tif 000018
【図１７】
2009129345.tif 000019
【図１８】
2009129345.tif 000020
【図１９】
2009129345.tif 000021
【図２０】
2009129345.tif 000022